(57)【要約】【課題】無線通信システムにおいて、短いＴＴＩ長を支援する端末のための上りリンク送信方法を提供する。【解決手段】端末によって行われ、上りリンク制御情報のための周波数ホッピングのイネーブル又はディスエーブルの設定を受信するステップ、周波数ホッピングがイネーブルされる場合、上りリンク制御情報を周波数ホッピングを用いて短い物理上りリンク制御チャンネル(ＳＰＵＣＣＨ)リソース領域にマッピングするステップおよびＳＰＵＣＣＨリソース領域において上りリンク制御情報を送信するステップを含み、周波数ホッピングはサブフレームにおける第１番目のスロットと第２番目のスロットとで互いに異なるパターンを有してもよい。【選択図】図９
2019526978.tif 000002
【特許請求の範囲】
【請求項１】
無線通信システムにおいて、短いＴＴＩ長を支援する端末のための上りリンク送信方法であって、前記方法は端末によって行われ、
上りリンク制御情報のための周波数ホッピングのイネーブル又はディスエーブルの設定を受信するステップと、
前記周波数ホッピングがイネーブルされる場合、上りリンク制御情報を前記周波数ホッピングを用いて短い物理上りリンク制御チャンネル(ＳＰＵＣＣＨ)リソース領域にマッピングするステップと、
前記ＳＰＵＣＣＨリソース領域において前記上りリンク制御情報を送信するステップと、を含み、
前記周波数ホッピングはサブフレームにおける第１番目のスロットと第２番目のスロットとで互いに異なるパターンを有することを特徴とする、方法。
【請求項２】
前記周波数ホッピングは、第１番目のスロットにおいて、最初の３個のシンボルとその他の４個のシンボルの間に適用される、請求項１に記載の方法。
【請求項３】
前記周波数ホッピングは、第２番目のスロットにおいて、最初の４個のシンボルとその他の３個のシンボルの間に適用される、請求項１に記載の方法。
【請求項４】
前記サブフレームにおける第１番目のスロット及び第２番目のスロットのうちより多い数のシンボルを含むスロットに電力過度区間が位置するように設定される、請求項１に記載の方法。
【請求項５】
前記サブフレームにおける最後のシンボルが上りリンク参照信号が送信されるように用いられる場合、
前記方法は、前記周波数ホッピングがディスエーブルされる場合、前記最後のシンボルが除外されたＳＰＵＣＣＨ領域において前記上りリンク制御情報及び前記最後のシンボルにおいて前記上りリンク参照信号を送信するステップを含み、又は
前記周波数ホッピングがイネーブルされる場合、前記上りリンク参照信号はドロップされるか、前記上りリンク参照信号は送信されて前記サブフレームの第２番目のスロットにおいて前記ＳＰＵＣＣＨ領域における上りリンク制御情報の送信がドロップされることを特徴とする、請求項１に記載の方法。
【請求項６】
前記周波数ホッピングがイネーブルされる場合、前記ＳＰＵＣＣＨと上りリンク参照信号の同時送信設定とは関係なく、前記サブフレームにおける最後のシンボルから送信されるはずであった上りリンク参照信号は送信されない、請求項１に記載の方法。
【請求項７】
前記同時送信設定は、従来の1ｍｓ ＴＴＩのための設定、前記ｓＴＴＩのための設定、又は特定のＳＰＵＣＣＨフォーマットのための設定である、請求項６に記載の方法。
【請求項８】
無線通信システムにおいて、短いＴＴＩ長の上りリンク信号を送信する端末であって、前記端末は、
受信機及び送信機と、
前記受信機及び送信機を制御するプロセッサーと、を含み、
前記プロセッサーは、
上りリンク制御情報のための周波数ホッピングのイネーブル又はディスエーブルの設定を受信して、
前記周波数ホッピングがイネーブルされる場合、上りリンク制御情報を前記周波数ホッピングを用いて、短い物理上りリンク制御チャンネル(ＳＰＵＣＣＨ)リソース領域にマッピングして、
前記ＳＰＵＣＣＨリソース領域において前記上りリンク制御情報を送信するように構成され、
前記周波数ホッピングは、サブフレームにおける第１番目のスロットと第２番目のスロットとで互いに異なるパターンを有することを特徴とする、端末。
【請求項９】
前記周波数ホッピングは、第１番目のスロットにおいて、最初の３個のシンボルとその他の４個のシンボルの間に適用される、請求項８に記載の端末。
【請求項１０】
前記周波数ホッピングは、第２番目のスロットにおいて、最初の４個のシンボルとその他の３個のシンボルの間に適用される、請求項８に記載の端末。
【請求項１１】
前記サブフレームにおける第１番目のスロット及び第２番目のスロットのうちより多い数のシンボルを含むスロットに電力過度区間が位置するように設定される、請求項８に記載の端末。
【請求項１２】
前記サブフレームにおける最後のシンボルが上りリンク参照信号が送信されるように用いられる場合、
前記プロセッサーは、前記周波数ホッピングがディスエーブルされる場合、前記最後のシンボルが除外されたＳＰＵＣＣＨ領域において、前記上りリンク制御情報及び前記最後のシンボルにおいて前記上りリンク参照信号を送信して、又は
前記周波数ホッピングがイネーブルされる場合、前記上りリンク参照信号はドロップされるか、前記上りリンク参照信号は送信されて前記サブフレームの第２番目のスロットにおいて前記ＳＰＵＣＣＨ領域における上りリンク制御情報の送信がドロップされる、請求項８に記載の端末。
【請求項１３】
前記周波数ホッピングがイネーブルされる場合、前記ＳＰＵＣＣＨと上りリンク参照信号の同時送信設定とは関係なく、前記サブフレームにおける最後のシンボルから送信されるはずであった上りリンク参照信号は送信されない、請求項８に記載の端末。
【請求項１４】
前記同時送信設定は、従来の1ｍｓ ＴＴＩのための設定、前記ｓＴＴＩのための設定、又は特定のＳＰＵＣＣＨフォーマットのための設定である、請求項１３に記載の端末。
【請求項１５】
無線通信システムにおいて、短いＴＴＩ長を支援する端末のための上りリンク受信方法であって、前記方法は基地局によって行われ、
上りリンク制御情報のための周波数ホッピングのイネーブル又はディスエーブルの設定を前記端末に送信するステップと、
前記周波数ホッピングがイネーブルされる場合、前記周波数ホッピングを用いて短い物理上りリンク制御チャンネル(ＳＰＵＣＣＨ)リソース領域にマッピングされた上りリンク制御情報を受信するステップと、を含み、前記周波数ホッピングは、サブフレームにおける第１番目のスロットと第２番目のスロットとで互いに異なるパターンを有することを特徴とする、方法。
【発明の詳細な説明】
【技術分野】
【０００１】
本発明は、無線通信システムに関し、詳細には、複数の送信時間間隔、複数のサブキャリア間隔、又は複数のプロセッシング時間を支援するための方法及びそのための装置に関する。
【背景技術】
【０００２】
パケットデータのレイテンシは重要な性能メートル(ｍｅｔｒｉｃ)の１つであり、これを減らして、より早いインターネットアクセスを最終ユーザ(ｅｎｄ ｕｓｅｒ)に提供することは、ＬＥＴのみならず、次世代移動通信システム、いわゆる新ラット(ｎｅｗ ＲＡＴ)の設計においても重要な課題の１つといえる。
【０００３】
本発明は、上述したレイテンシの減少を支援する無線通信システムにおける上りリンク信号送信又は受信方案に関する内容を取り扱うものである。
【発明の概要】
【発明が解決しようとする課題】
【０００４】
本発明は、複数の送信時間間隔、複数のサブキャリア間隔、又は複数のプロセッシング時間を支援する端末の上りリンク送信動作又はそれと通信する基地局の上りリンク受信動作に関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一実施例による無線通信システムにおいて、短いＴＴＩ(ｔｒａｎｓｍｉｓｓｉｏｎ ｔｉｍｅ ｉｎｔｅｒｖａｌ)長を支援する端末のための上りリンク送信方法であって、前記方法は端末によって行われ、上りリンク制御情報のための周波数ホッピングのイネーブル又はディスエーブルの設定を受信するステップ、前記周波数ホッピングがイネーブルされる場合、上りリンク制御情報を前記周波数ホッピングを用いて短い物理上りリンク制御チャンネル(ｓｈｏｒｔ ｐｈｙｓｉｃａｌ ｕｐｌｉｎｋ ｃｏｎｔｒｏｌ ｃｈａｎｎｅｌ；ＳＰＵＣＣＨ)リソース領域にマッピングするステップ、および前記ＳＰＵＣＣＨリソース領域において前記上りリンク制御情報を送信するステップを含み、前記周波数ホッピングはサブフレームにおける第１番目のスロットと第２番目のスロットとで互いに異なるパターンを有してもよい。
【０００７】
追加又は代案として、前記周波数ホッピングは、第１番目のスロットにおいて、最初の３個のシンボルとその他の４個のシンボルの間に適用されてもよい。
【０００８】
追加又は代案として、前記周波数ホッピングは、第２番目のスロットにおいて、最初の４個のシンボルとその他の３個のシンボルの間に適用されてもよい。
【０００９】
追加又は代案として、前記サブフレームにおける第１番目のスロット及び第２番目のスロットのうちより多い数のシンボルを含むスロットに電力過度区間が位置するように設定されてもよい。
【００１０】
追加又は代案として、前記サブフレームにおける最後のシンボルが上りリンク参照信号が送信されるように用いられる場合、前記方法は、前記周波数ホッピングがディスエーブルされる場合、前記最後のシンボルが除外されたＳＰＵＣＣＨ領域において前記上りリンク制御情報及び前記最後のシンボルにおいて前記上りリンク参照信号を送信するステップを含み、又は前記周波数ホッピングがイネーブルされる場合、前記上りリンク参照信号はドロップされるか、前記上りリンク参照信号は送信されて前記サブフレームの第２番目のスロットにおいて前記ＳＰＵＣＣＨ領域における上りリンク制御情報の送信がドロップされてもよい。
【００１１】
追加又は代案として、前記周波数ホッピングがイネーブルされる場合、前記ＳＰＵＣＣＨと上りリンク参照信号の同時送信設定とは関係なく、前記サブフレームにおける最後のシンボルから送信されるはずであった上りリンク参照信号は送信されなくてもよい。
【００１２】
追加又は代案として、前記同時送信設定は、従来の1ｍｓ ＴＴＩのための設定、前記ｓＴＴＩのための設定、又は特定のＳＰＵＣＣＨフォーマットのための設定であってもよい。
【００１３】
本発明の別の一実施例による無線通信システムにおいて、短いＴＴＩ(ｔｒａｎｓｍｉｓｓｉｏｎ ｔｉｍｅ ｉｎｔｅｒｖａｌ)長の上りリンク信号を送信する端末であって、前記端末は、受信機及び送信機、および前記受信機及び送信機を制御するプロセッサーを含み、前記プロセッサーは、上りリンク制御情報のための周波数ホッピングのイネーブル又はディスエーブルの設定を受信して、前記周波数ホッピングがイネーブルされる場合、上りリンク制御情報を前記周波数ホッピングを用いて、短い物理上りリンク制御チャンネル(ｓｈｏｒｔ ｐｈｙｓｉｃａｌ ｕｐｌｉｎｋ ｃｏｎｔｒｏｌ ｃｈａｎｎｅｌ；ＳＰＵＣＣＨ)リソース領域にマッピングして、前記ＳＰＵＣＣＨリソース領域において前記上りリンク制御情報を送信するように構成され、前記周波数ホッピングはサブフレームにおける第１番目のスロットと第２番目のスロットとで互いに異なるパターンを有してもよい。
【００１４】
追加又は代案として、前記周波数ホッピングは、第１番目のスロットにおいて、最初の３個のシンボルとその他の４個のシンボルの間に適用されてもよい。
【００１５】
追加又は代案として、前記周波数ホッピングは、第２番目のスロットにおいて、最初の４個のシンボルとその他の３個のシンボルの間に適用されてもよい。
【００１６】
追加又は代案として、前記サブフレームにおける第１番目のスロット及び第２番目のスロットのうちより多い数のシンボルを含むスロットに電力過度区間が位置するように設定されてもよい。
【００１７】
追加又は代案として、前記サブフレームにおける最後のシンボルが上りリンク参照信号が送信されるように用いられる場合、前記方法は、前記周波数ホッピングがディスエーブルされる場合、前記最後のシンボルが除外されたＳＰＵＣＣＨ領域において、前記上りリンク制御情報及び前記最後のシンボルにおいて前記上りリンク参照信号を送信するステップを含み、又は前記周波数ホッピングがイネーブルされる場合、前記上りリンク参照信号はドロップされるか、前記上りリンク参照信号は送信されて前記サブフレームの第２番目のスロットにおいて前記ＳＰＵＣＣＨ領域における上りリンク制御情報の送信がドロップされてもよい。
【００１８】
追加又は代案として、前記周波数ホッピングがイネーブルされる場合、前記ＳＰＵＣＣＨと上りリンク参照信号の同時送信設定とは関係なく、前記サブフレームにおける最後のシンボルから送信されるはずであった上りリンク参照信号は送信されなくてもよい。
【００１９】
追加又は代案として、前記同時送信設定は、従来の1ｍｓ ＴＴＩのための設定、前記ｓＴＴＩのための設定、又は特定のＳＰＵＣＣＨフォーマットのための設定であってもよい。
【００２０】
本発明の別の一実施例による無線通信システムにおいて、短いＴＴＩ(ｔｒａｎｓｍｉｓｓｉｏｎ ｔｉｍｅ ｉｎｔｅｒｖａｌ)長を支援する端末のための上りリンク受信方法であって、前記方法は基地局によって行われ、上りリンク制御情報のための周波数ホッピングのイネーブル又はディスエーブルの設定を前記端末に送信するステップ、前記周波数ホッピングがイネーブルされる場合、前記周波数ホッピングを用いて短い物理上りリンク制御チャンネル(ｓｈｏｒｔ ｐｈｙｓｉｃａｌ ｕｐｌｉｎｋ ｃｏｎｔｒｏｌ ｃｈａｎｎｅｌ；ＳＰＵＣＣＨ)リソース領域にマッピングされた上りリンク制御情報を受信するステップを含み、前記周波数ホッピングは、サブフレームにおける第１番目のスロットと第２番目のスロットとで互いに異なるパターンを有してもよい。
【００２１】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され理解され得るだろう。
【発明の効果】
【００２２】
本発明の実施例によれば、複数のＴＴＩ長、複数のサブキャリア間隔、又は複数のプロセッシング時間を支援する端末の上りリンク送信が効率的に行われることができる。
【００２３】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２４】
以下に添付する図面は、本発明に関する理解を助けるために詳細な説明の一部として含まれるものであり、本発明に関する実施例を提供し、詳細な説明と共に本発明の技術的思想を説明する。
【００２５】
【図１】無線通信システムにおいて用いられる無線フレーム構造の一例を示す図である。
【図２】無線通信システムにおいて、下りリンク／上りリンク(ＤＬ／ＵＬ)スロット構造の一例を示す図である。
【図３】３ＧＰＰ ＬＴＥ／ＬＴＥ−Ａシステムにおいて用いられる下りリンク(ｄｏｗｎｌｉｎｋ，ＤＬ)サブフレームの構造を例示する図である。
【図４】３ＧＰＰ ＬＴＥ／ＬＴＥ−Ａシステムにおいて用いられる上りリンク(ｕｐｌｉｎｋ，ＵＬ)サブフレームの構造を例示する図である。
【図５】ユーザ平面レイテンシの減少によるＴＴＩ長の減少を示す図である。
【図６】一サブフレーム内に複数の短いＴＴＩが設定された例を示す図である。
【図７】複数の長さ(シンボル数)の短いＴＴＩからなるＤＬサブフレームの構造を示す図である。
【図８】２個のシンボル又は３個のシンボルの短いＴＴＩからなるＤＬサブフレーム構造を示す図である。
【図９】本発明の実施例を具現するための装置を示すブロック図である。
【発明を実施するための形態】
【００２６】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２７】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２８】
本発明において、ユーザ機器(ｕｓｅｒ  ｅｑｕｉｐｍｅｎｔ，ＵＥ)は、固定していても、移動性を有していてもよいもので、基地局(ｂａｓｅ  ｓｔａｔｉｏｎ，ＢＳ)と通信してユーザデータ及び／又は各種制御情報を送受信する各種機器を含む。ＵＥを、端末(Ｔｅｒｍｉｎａｌ  Ｅｑｕｉｐｍｅｎｔ)、ＭＳ(Ｍｏｂｉｌｅ  Ｓｔａｔｉｏｎ)、ＭＴ(Ｍｏｂｉｌｅ  Ｔｅｒｍｉｎａｌ)、ＵＴ(Ｕｓｅｒ  Ｔｅｒｍｉｎａｌ)、ＳＳ(Ｓｕｂｓｃｒｉｂｅ  Ｓｔａｔｉｏｎ)、無線機器(ｗｉｒｅｌｅｓｓ  ｄｅｖｉｃｅ)、ＰＤＡ(Ｐｅｒｓｏｎａｌ  Ｄｉｇｉｔａｌ  Ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)などと呼ぶこともできる。また、本発明において、ＢＳは一般に、ＵＥ及び／又は他のＢＳと通信する固定局(ｆｉｘｅｄ  ｓｔａｔｉｏｎ)を意味し、ＵＥ及び他のＢＳと通信して各種データ及び制御情報を交換する。ＢＳを、ＡＢＳ(Ａｄｖａｎｃｅｄ  Ｂａｓｅ  Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)、ＰＳ(Ｐｒｏｃｅｓｓｉｎｇ  Ｓｅｒｖｅｒ)、送信ポイント(ｔｒａｎｓｍｉｓｓｉｏｎ  ｐｏｉｎｔ；ＴＰ)などと呼ぶこともできる。以下の本発明に関する説明では、ＢＳをｅＮＢと総称する。
【００２９】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ  ｒｅｍｏｔｅ  ｈｅａｄ，ＲＲＨ)、無線リモートユニット(ｒａｄｉｏ  ｒｅｍｏｔｅ  ｕｎｉｔ，ＲＲＵ)であってもよい。ＲＲＨ、ＲＲＵなどは一般にｅＮＢの電力レベル(ｐｏｗｅｒ  ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ  ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ  ａｎｔｅｎｎａ  ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ  ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３０】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ  ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３１】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ  Ｍｕｌｔｉ−Ｐｏｉｎｔ  ＴＸ／ＲＸ)という。このようなノード間協調通信のうち、協調送信技法は、ＪＰ(ｊｏｉｎｔ  ｐｒｏｃｅｓｓｉｎｇ)とスケジューリング協調(ｓｃｈｅｄｕｌｉｎｇ  ｃｏｏｒｄｉｎａｔｉｏｎ)とに区別できる。前者はＪＴ(ｊｏｉｎｔ  ｔｒａｎｓｍｉｓｓｉｏｎ)／ＪＲ(ｊｏｉｎｔ  ｒｅｃｅｐｔｉｏｎ)とＤＰＳ(ｄｙｎａｍｉｃ  ｐｏｉｎｔ  ｓｅｌｅｃｔｉｏｎ)とに区別し、後者はＣＳ(ｃｏｏｒｄｉｎａｔｅｄ  ｓｃｈｅｄｕｌｉｎｇ)とＣＢ(ｃｏｏｒｄｉｎａｔｅｄ  ｂｅａｍｆｏｒｍｉｎｇ)とに区別できる。ＤＰＳは、ＤＣＳ(ｄｙｎａｍｉｃ  ｃｅｌｌ  ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャンネル状態の良いノードが通信ノードとして選択されるはずであるため、信号送信の信頼度を向上させることができる。
【００３２】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ  ｃｅｌｌ)という。また、特定セルのチャンネル状態／品質は、該特定セルに通信サービスを提供するｅＮＢ或いはノードとＵＥ間に形成されたチャンネル或いは通信リンクのチャンネル状態／品質を意味する。３ＧＰＰ ＬＥＴ−Ａベースのシステムにおいて、ＵＥは、特定ノードからの下りリンクチャンネル状態を、前記特定ノードのアンテナポートが前記特定ノードに割り当てられたチャンネルＣＳＩ−ＲＳ(Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ  ｃｏｎｆｉｇｕｒａｔｉｏｎ)、サブフレームオフセット(ｏｆｆｓｅｔ)及び送信周期(ｔｒａｎｓｍｉｓｓｉｏｎ  ｐｅｒｉｏｄ)などによってＣＳＩ−ＲＳが割り当てられたサブフレームを特定するサブフレーム構成(ｓｕｂｆｒａｍｅ  ｃｏｎｆｉｇｕｒａｔｉｏｎ)、ＣＳＩ−ＲＳシーケンスのうちの少なくとも１つが互いに異なることを意味する。
【００３３】
本発明において、ＰＤＣＣＨ(Ｐｈｙｓｉｃａｌ  Ｄｏｗｎｌｉｎｋ  Ｃｏｎｔｒｏｌ  ＣＨａｎｎｅｌ)／ＰＣＦＩＣＨ(Ｐｈｙｓｉｃａｌ  Ｃｏｎｔｒｏｌ  Ｆｏｒｍａｔ  Ｉｎｄｉｃａｔｏｒ  ＣＨａｎｎｅｌ)／ＰＨＩＣＨ(Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ)／ＰＤＳＣＨ(Ｐｈｙｓｉｃａｌ  Ｄｏｗｎｌｉｎｋ  Ｓｈａｒｅｄ  ＣＨａｎｎｅｌ)はそれぞれ、ＤＣＩ(Ｄｏｗｎｌｉｎｋ  Ｃｏｎｔｒｏｌ  Ｉｎｆｏｒｍａｔｉｏｎ)／ＣＦＩ(Ｃｏｎｔｒｏｌ  Ｆｏｒｍａｔ  Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ  ＡＣＫ)／下りリンクデータを運ぶ時間−周波数リソースの集合或いはリソース要素の集合を意味する。また、ＰＵＣＣＨ(Ｐｈｙｓｉｃａｌ  Ｕｐｌｉｎｋ  Ｃｏｎｔｒｏｌ  ＣＨａｎｎｅｌ)／ＰＵＳＣＨ(Ｐｈｙｓｉｃａｌ  Ｕｐｌｉｎｋ  Ｓｈａｒｅｄ  ＣＨａｎｎｅｌ)／ＰＲＡＣＨ(Ｐｈｙｓｉｃａｌ  Ｒａｎｄｏｍ  Ａｃｃｅｓｓ  ＣＨａｎｎｅｌ)はそれぞれ、ＵＣＩ(Ｕｐｌｉｎｋ  Ｃｏｎｔｒｏｌ  Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ  Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３４】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ  ｄｉｖｉｓｉｏｎ  ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ  ｄｉｖｉｓｉｏｎ  ｄｕｐｌｅｘ，ＴＤＤ)用フレーム構造を示している。
【００３５】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。1無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ  ｔｉｍｅ  ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３６】
無線フレームは、デュプレックス(ｄｕｐｌｅｘ)技法によって別々に構成(ｃｏｎｆｉｇｕｒｅ)することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３７】
表１は、ＴＤＤで、無線フレームにおけるサブフレームのＤＬ−ＵＬ構成(ｃｏｎｆｉｇｕｒａｔｉｏｎ)を例示するものである。
【００３８】
【表１】
2019526978.tif 000003
【００３９】
表１で、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ  Ｐｉｌｏｔ  ＴｉｍｅＳｌｏｔ)、ＧＰ(Ｇｕａｒｄ  Ｐｅｒｉｏｄ)、ＵｐＰＴＳ(Ｕｐｌｉｎｋ  Ｐｉｌｏｔ  ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は、特異サブフレーム構成(ｃｏｎｆｉｇｕｒａｔｉｏｎ)を例示するものである。
【００４０】
【表２】
2019526978.tif 000004
【００４１】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ  ｇｒｉｄ)の構造を示す。アンテナポート当たりに１個のリソース格子がある。
【００４２】
図２を参照すると、スロットは、時間ドメインで複数のＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルを含み、周波数ドメインで複数のリソースブロック(ｒｅｓｏｕｒｃｅ  ｂｌｏｃｋ，ＲＢ)を含む。ＯＦＤＭシンボルは、１シンボル区間を意味することもある。図２を参照すると、各スロットで送信される信号は、
【数１】
2019526978.tif 000005
個の副搬送波(ｓｕｂｃａｒｒｉｅｒ)と
2019526978.tif 000006
個のＯＦＤＭシンボルとで構成されるリソース格子(ｒｅｓｏｕｒｃｅ  ｇｒｉｄ)と表現することができる。ここで、
2019526978.tif 000007
は、下りリンクスロットにおけるリソースブロック(ｒｅｓｏｕｒｃｅ  ｂｌｏｃｋ，ＲＢ)の個数を表し、
2019526978.tif 000008
は、ＵＬスロットにおけるＲＢの個数を表す。
2019526978.tif 000009
と
2019526978.tif 000010
は、ＤＬ送信帯域幅とＵＬ送信帯域幅にそれぞれ依存する。
2019526978.tif 000011
は、下りリンクスロットにおけるＯＦＤＭシンボルの個数を表し、
2019526978.tif 000012
は、ＵＬスロットにおけるＯＦＤＭシンボルの個数を表す。
2019526978.tif 000013
は、１つのＲＢを構成する副搬送波の個数を表す。
【００４３】
ＯＦＤＭシンボルは、多重接続方式によって、ＯＦＤＭシンボル、ＳＣ−ＦＤＭ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ)シンボルなどと呼ぶことができる。１つのスロットに含まれるＯＦＤＭシンボルの数は、チャンネル帯域幅、ＣＰ(ｃｙｃｌｉｃ  ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
【数２】
2019526978.tif 000014
個の副搬送波を含む。副搬送波の類型は、データ送信のためのデータ副搬送波、参照信号(ｒｅｆｅｒｅｎｃｅ  ｓｉｇｎａｌ)の送信のための参照信号副搬送波、ガードバンド(ｇｕａｒｄ  ｂａｎｄ)及び直流(Ｄｉｒｅｃｔ  Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ  ｆｒｅｑｕｅｎｃｙ，ｆ０)にマッピング(ｍａｐｐｉｎｇ)される。搬送波周波数は中心周波数(ｃｅｎｔｅｒ  ｆｒｅｑｕｅｎｃｙ)と呼ばれることもある。
【００４４】
１ ＲＢは、時間ドメインで
2019526978.tif 000015
個(例えば、７個)の連続するＯＦＤＭシンボルと定義され、周波数ドメインで
2019526978.tif 000016
個(例えば、１２個)の連続する副搬送波と定義される。参考として、１つのＯＦＤＭシンボルと１つの副搬送波で構成されたリソースをリソース要素(ｒｅｓｏｕｒｃｅ  ｅｌｅｍｅｎｔ，ＲＥ)或いはトーン(ｔｏｎｅ)という。したがって、１つのＲＢは、
【数３】
2019526978.tif 000017
個のリソース要素で構成される。リソース格子における各リソース要素は、１つのスロットにおけるインデックス対(ｋ，１)によって固有に定義できる。ｋは、周波数ドメインで０から
【数４】
2019526978.tif 000018
まで与えられるインデックスであり、ｌは、時間ドメインで０から
【数５】
2019526978.tif 000019
まで与えられるインデックスである。
【００４５】
１サブフレームにおいて
2019526978.tif 000020
個の連続した同一副搬送波を占有しながら、当該サブフレームにおける２個のスロットのそれぞれに１個ずつ位置する２個のＲＢを物理リソースブロック(ｐｈｙｓｉｃａｌ  ｒｅｓｏｕｒｃｅ  ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎＰＲＢ＝ｎＶＲＢとなる。局部タイプのＶＲＢには０から
【数６】
2019526978.tif 000021
順に番号が与えられ、
【数７】
2019526978.tif 000022
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４６】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４７】
図３を参照すると、ＤＬサブフレームは、時間ドメインで制御領域(ｃｏｎｔｒｏｌ  ｒｅｇｉｏｎ)とデータ領域(ｄａｔａ  ｒｅｇｉｏｎ)とに区別される。図３を参照すると、サブフレームの第１のスロットで先頭部における最大３(或いは４)個のＯＦＤＭシンボルは、制御チャンネルが割り当てられる制御領域(ｃｏｎｔｒｏｌ  ｒｅｇｉｏｎ)に対応する。以下、ＤＬサブフレームでＰＤＣＣＨ送信に利用可能なリソース領域(ｒｅｓｏｕｒｃｅ  ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ  ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャンネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャンネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ  Ａｕｔｏｍａｔｉｃ  Ｒｅｐｅａｔ  Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４８】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャンネル(ｄｏｗｎｌｉｎｋ  ｓｈａｒｅｄ  ｃｈａｎｎｅｌ，ＤＬ−ＳＣＨ)の送信フォーマット及びリソース割り当て情報、ＵＬ共有チャンネル(ｕｐｌｉｎｋ  ｓｈａｒｅｄ  ｃｈａｎｎｅｌ，ＵＬ−ＳＣＨ)の送信フォーマット及びリソース割り当て情報、ページングチャンネル(ｐａｇｉｎｇ  ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ  ｌａｙｅｒ)制御メッセージのリソース割り当て情報、ＵＥグループ内の個別ＵＥへの送信電力制御命令(Ｔｒａｎｓｍｉｔ  Ｃｏｎｔｒｏｌ  Ｃｏｍｍａｎｄ  Ｓｅｔ)、送信電力制御(Ｔｒａｎｓｍｉｔ  Ｐｏｗｅｒ  Ｃｏｎｔｒｏｌ)命令、ＶｏＩＰ(Ｖｏｉｃｅ  ｏｖｅｒ  ＩＰ)の活性化(ａｃｔｉｖａｔｉｏｎ)指示情報、ＤＡＩ(Ｄｏｗｎｌｉｎｋ  Ａｓｓｉｇｎｍｅｎｔ  Ｉｎｄｅｘ)などを含む。ＤＬ共有チャンネル(ｄｏｗｎｌｉｎｋ  ｓｈａｒｅｄ  ｃｈａｎｎｅｌ，ＤＬ−ＳＣＨ)の送信フォーマット(Ｔｒａｎｓｍｉｔ  Ｆｏｒｍａｔ)及びリソース割り当て情報は、ＤＬスケジューリング情報或いはＤＬグラント(ＤＬ  ｇｒａｎｔ)とも呼ばれ、ＵＬ共有チャンネル(ｕｐｌｉｎｋ  ｓｈａｒｅｄ  ｃｈａｎｎｅｌ，ＵＬ−ＳＣＨ)の送信フォーマット及びリソース割り当て情報は、ＵＬスケジューリング情報或いはＵＬグラント(ＵＬ  ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ  ａｌｌｏｃａｔｉｏｎ)、ＭＣＳ(ｍｏｄｕｌａｔｉｏｎ  ｃｏｄｉｎｇ ｓｃｈｅｍｅ)、ＲＶ(ｒｅｄｕｎｄａｎｃｙ  ｖｅｒｓｉｏｎ)、ＮＤＩ(ｎｅｗ  ｄａｔａ  ｉｎｄｉｃａｔｏｒ)、ＴＰＣ(ｔｒａｎｓｍｉｔ  ｐｏｗｅｒ  ｃｏｎｔｒｏｌ)、循環シフトＤＭＲＳ(ｃｙｃｌｉｃ  ｓｈｉｆｔ  ｄｅｍｏｄｕｌａｔｉｏｎ  ｒｅｆｅｒｅｎｃｅ  ｓｉｇｎａｌ)、ＵＬインデックス、ＣＱＩ(ｃｈａｎｎｅｌ  ｑｕａｌｉｔｙ  ｉｎｆｏｒｍａｔｉｏｎ)要請、ＤＬ割り当てインデックス(ＤＬ  ａｓｓｉｇｎｍｅｎｔ  ｉｎｄｅｘ)、ＨＡＲＱプロセスナンバー、ＴＰＭＩ(ｔｒａｎｓｍｉｔｔｅｄ  ｐｒｅｃｏｄｉｎｇ  ｍａｔｒｉｘ  ｉｎｄｉｃａｔｏｒ)、ＰＭＩ(ｐｒｅｃｏｄｉｎｇ  ｍａｔｒｉｘ  ｉｎｄｉｃａｔｏｒ)情報などの制御情報が適宜選択された組み合わせが下りリンク制御情報としてＵＥに送信される。
【００４９】
一般に、ＵＥに構成された送信モード(ｔｒａｎｓｍｉｓｓｉｏｎ  ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５０】
ＰＤＣＣＨは、１つ又は複数の連続した制御チャンネル要素(ｃｏｎｔｒｏｌ  ｃｈａｎｎｅｌ  ｅｌｅｍｅｎｔ，ＣＣＥ)の集成(ａｇｇｒｅｇａｔｉｏｎ)上で送信される。ＣＣＥは、ＰＤＣＣＨに無線チャンネル状態に基づく符号化率(ｃｏｄｉｎｇ  ｒａｔｅ)を提供するために用いられる論理的割り当てユニット(ｕｎｉｔ)である。ＣＣＥは、複数のリソース要素グループ(ｒｅｓｏｕｒｃｅ  ｅｌｅｍｅｎｔ  ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ  Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ  ｌｅｖｅｌ)を例示するものである。
【００５１】
【表３】
2019526978.tif 000023
【００５２】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ  ｄｅｔｅｃｔｉｏｎ)(ブラインド復号(ｂｌｉｎｄ  ｄｅｃｏｄｉｎｇ，ＢＤ))という。
【００５３】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ  Ｄｏｗｎｌｉｎｋ  Ｓｈａｒｅｄ  ＣＨａｎｎｅｌ)を割り当てることができる。ＰＣＨ(Ｐａｇｉｎｇ  ｃｈａｎｎｅｌ)及びＤＬ−ＳＣＨ(Ｄｏｗｎｌｉｎｋ−ｓｈａｒｅｄ  ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ  Ｎｅｔｗｏｒｋ  Ｔｅｍｐｏｒａｒｙ  Ｉｄｅｎｔｉｔｙ)でＣＲＣ(ｃｙｃｌｉｃ  ｒｅｄｕｎｄａｎｃｙ  ｃｈｅｃｋ)マスキング(ｍａｓｋｉｎｇ)されており、「Ｂ」という無線リソース(例えば、周波数位置)及び「Ｃ」という送信形式情報(例えば、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５４】
ＵＥがｅＮＢから受信した信号を復調するには、データ信号と比較する参照信号(ｒｅｆｅｒｅｎｃｅ  ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャンネル測定用ＲＳを別途に提供しなければならない。例えば、３ＧＰＰ ＬＥＴ(−Ａ)では、ＵＥがチャンネル状態情報を測定できるようにするために、追加の測定用ＲＳであるＣＳＩ−ＲＳが当該ＵＥに送信される。ＣＳＩ−ＲＳは、チャンネル状態について相対的に時間による変化度が大きくないという事実に着目し、各サブフレーム毎に送信されるＣＲＳとは違い、複数のサブフレームで構成される所定の送信周期毎に送信される。
【００５５】
図４は、３ＧＰＰ ＬＥＴ／ＬＥＴ−Ａシステムで用いられる上りリンク(ｕｐｌｉｎｋ，ＵＬ)サブフレーム構造の一例を示す図である。
【００５６】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)が上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶためにＵＬサブフレームのデータ領域に割り当てられてもよい。
【００５７】
ＵＬサブフレームではＤＣ(Ｄｉｒｅｃｔ  Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５８】
ＰＵＣＣＨは、次の制御情報を送信するために用いることができる。
【００５９】
− ＳＲ(Ｓｃｈｅｄｕｌｉｎｇ  Ｒｅｑｕｅｓｔ)：上りリンクＵＬ−ＳＣＨリソースを要請するために用いられる情報である。ＯＯＫ(Ｏｎ−Ｏｆｆ  Ｋｅｙｉｎｇ)方式を用いて送信される。
【００６０】
− ＨＡＲＱ−ＡＣＫ：ＰＤＣＣＨに対する応答及び／又はＰＤＳＣＨ上の下りリンクデータパケット(例えば、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ  Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６１】
− ＣＳＩ(Ｃｈａｎｎｅｌ  Ｓｔａｔｅ  Ｉｎｆｏｒｍａｔｉｏｎ)：下りリンクチャンネルに対するフィードバック情報(ｆｅｅｄｂａｃｋ  ｉｎｆｏｒｍａｔｉｏｎ)である。ＭＩＭＯ(Ｍｕｌｔｉｐｌｅ  Ｉｎｐｕｔ  Ｍｕｌｔｉｐｌｅ  Ｏｕｔｐｕｔ)−関連フィードバック情報は、ＲＩ(Ｒａｎｋ  Ｉｎｄｉｃａｔｏｒ)及びＰＭＩ(Ｐｒｅｃｏｄｉｎｇ  Ｍａｔｒｉｘ  Ｉｎｄｉｃａｔｏｒ)を含む。
【００６２】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ  Ｒｅｆｅｒｅｎｃｅ  Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６３】
下記の表４に、ＬＥＴ／ＬＥＴ−ＡシステムでＰＵＣＣＨフォーマットとＵＣＩとのマッピング関係を示す。
【００６４】
【表４】
2019526978.tif 000024
【００６５】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャンネル状態情報(ｃｈａｎｎｅｌ  ｓｔａｔｅ  ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６６】
参照信号(Ｒｅｆｅｒｅｎｃｅ  Ｓｉｇｎａｌ；ＲＳ)
【００６７】
無線通信システムにおいてパケットを送信する時、パケットは無線チャンネルを通じて送信されるため、送信過程で信号の歪みが発生することがある。歪まれた信号を受信側で正しく受信するためには、チャンネル情報を用いて受信信号において歪みを補正しなければならない。チャンネル情報を知るために、送信側と受信側の両方で知っている信号を送信し、該信号がチャンネルを通じて受信される時の歪みの度合からチャンネル情報を把握する方法を主に用いる。この信号をパイロット信号(Ｐｉｌｏｔ  Ｓｉｇｎａｌ)又は参照信号(Ｒｅｆｅｒｅｎｃｅ  Ｓｉｇｎａｌ)という。
【００６８】
多重アンテナを用いてデータを送受信する場合には、各送信アンテナと受信アンテナ間のチャンネル状況を知ってこそ正しい信号を受信することができる。したがって、各送信アンテナ別に、より詳しくはアンテナポート(ａｎｔｅｎｎａ  ｐｏｒｔ)別に異なった参照信号が存在しなければならない。
【００６９】
参照信号は上りリンク参照信号と下りリンク参照信号とに区別できる。現在、ＬＥＴシステムには、上りリンク参照信号として、
【００７０】
i)ＰＵＳＣＨ及びＰＵＣＣＨを通じて送信された情報のコヒーレント(ｃｏｈｅｒｅｎｔ)な復調のためのチャンネル推定のための復調参照信号(ＤｅＭｏｄｕｌａｔｉｏｎ−Ｒｅｆｅｒｅｎｃｅ  Ｓｉｇｎａｌ，ＤＭ−ＲＳ)
【００７１】
ii)基地局が、ネットワークの異なる周波数における上りリンクチャンネル品質を測定するためのサウンディング参照信号(Ｓｏｕｎｄｉｎｇ  Ｒｅｆｅｒｅｎｃｅ  Ｓｉｇｎａｌ，ＳＲＳ)がある。
【００７２】
一方、下りリンク参照信号としては、
【００７３】
i)セル内の全ての端末が共有するセル−特定参照信号(Ｃｅｌｌ−ｓｐｅｃｉｆｉｃ  Ｒｅｆｅｒｅｎｃｅ  Ｓｉｇｎａｌ，ＣＲＳ)
【００７４】
ii)特定端末だけのための端末−特定参照信号(ＵＥ−ｓｐｅｃｉｆｉｃ  Ｒｅｆｅｒｅｎｃｅ  Ｓｉｇｎａｌ)
【００７５】
iii)ＰＤＳＣＨが送信される場合に、コヒーレントな復調のために送信される(ＤｅＭｏｄｕｌａｔｉｏｎ−Ｒｅｆｅｒｅｎｃｅ  Ｓｉｇｎａｌ，ＤＭ−ＲＳ)
【００７６】
iv)下りリンクＤＭＲＳが送信される場合に、チャンネル状態情報(Ｃｈａｎｎｅｌ  Ｓｔａｔｅ  Ｉｎｆｏｒｍａｔｉｏｎ；ＣＳＩ)を伝達するためのチャンネル状態情報参照信号(Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ)
【００７７】
v)ＭＢＳＦＮ(Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ)モードで送信される信号に対するコヒーレントな復調のために送信されるＭＢＳＦＮ参照信号(ＭＢＳＦＮ  Ｒｅｆｅｒｅｎｃｅ  Ｓｉｇｎａｌ)
【００７８】
vi)端末の地理的位置情報を推定するために用いられる位置参照信号(Ｐｏｓｉｔｉｏｎｉｎｇ  Ｒｅｆｅｒｅｎｃｅ  Ｓｉｇｎａｌ)がある。
【００７９】
参照信号はその目的によって２種類に大別できる。チャンネル情報取得のために用いられる参照信号と、データ復調のために用いられる参照信号とがある。前者は、ＵＥが下りリンク上のチャンネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャンネル測定をしてデータを復調することが可能になる。この参照信号は、データの送信される領域で送信されなければならない。
【００８０】
上述したレイテンシ減少、すなわちローレイテンシ(ｌｏｗ ｌａｔｅｎｃｙ)を満たすために、データ送信の最小単位であるＴＴＩを減らして０．５ｍｓｅｃ以下の短い(ｓｈｏｒｔｅｎｅｄ)ＴＴＩ(ｓＴＴＩ)を新たにデザインする必要がある。例えば、図５のように、ｅＮＢがデータ(ＰＤＣＣＨ及びＰＤＳＣＨ)の送信を開始して、ＵＥがＡ／Ｎ(ＡＣＫ／ＮＡＣＫ)の送信を完了するまでのユーザ平面(Ｕｓｅｒ ｐｌａｎｅ；Ｕ−ｐｌａｎｅ)レイテンシを１ｍｓｅｃに減らすためには、約３ＯＦＤＭシンボルを単位としてｓＴＴＩを構成してもよい。
【００８１】
下りリンク環境では、このようなｓＴＴＩ内でデータの送信／スケジューリングのためのＰＤＣＣＨ(すなわち、ｓＰＤＣＣＨ)と、ｓＴＴＩ内で送信が行われるＰＤＳＣＨ(すなわち、ｓＰＤＳＣＨ)が送信されてもよく、例えば、図６のように、１つのサブフレーム内に複数のｓＴＴＩが互いに異なるＯＦＤＭシンボルを用いて構成されてもよい。具体的に、ｓＴＴＩを構成するＯＦＤＭシンボルはレガシー制御チャンネルが送信されるＯＦＤＭシンボルを除いて構成されてもよい。ｓＴＴＩ内においてｓＰＤＣＣＨとｓＰＤＳＣＨの送信は、互いに異なるＯＦＤＭシンボル領域を用いてＴＤＭ(ｔｉｍｅ ｄｉｖｉｓｉｏｎ ｍｕｌｔｉｐｌｅｘｉｎｇ)された形態で送信されてもよく、互いに異なるＰＲＢ領域／周波数リソースを用いてＦＤＭ(ｆｒｅｑｕｅｎｃｙ ｄｉｖｉｓｉｏｎ ｍｕｌｔｉｐｌｅｘｉｎｇ)された形態で送信されてもよい。
【００８２】
上りリンク環境においても、上述した下りリンクのように、ｓＴＴＩ内でデータ送信／スケジューリングが可能であり、従来のＴＴＩベースのＰＵＣＣＨ及びＰＵＳＣＨに対応するチャンネルを、ｓＰＵＣＣＨ及びｓＰＵＳＣＨと称する。
【００８３】
本明細書においては、ＬＴＥ／ＬＴＥ−Ａシステムに基づいて発明を説明する。従来のＬＴＥ／ＬＴＥ−Ａで１ｍｓのサブフレームは、一般ＣＰを有する場合に１４個のＯＦＤＭシンボルからなり、これを１ｍｓよりも短い単位で構成する場合、１つのサブフレーム内に複数のＴＴＩを構成することができる。複数のＴＴＩを構成する方式は、以下の図７に示した実施例のように、２シンボル、３シンボル、４シンボル、７シンボルを１つのＴＴＩとして構成することができる。図示を省略するが、１シンボルをＴＴＩとする場合も考えられる。１シンボルを１つのＴＴＩ単位とする場合、２個のＯＦＤＭシンボルにレガシーＰＤＣＣＨを送信するという仮定下において、１２個のＴＴＩが生成される。同様に、図７(ａ)のように、２シンボルを１つのＴＴＩ単位とする場合、６個のＴＴＩ、図７(ｂ)のように、３シンボルを１つのＴＴＩ単位とする場合、４個のＴＴＩ、図７(ｃ)のように、４シンボルを１つのＴＴＩ単位とする場合、３個のＴＴＩを生成することができる。もちろん、この場合、最初の２個のＯＦＤＭシンボルはレガシーＰＤＣＣＨが送信されると仮定する。
【００８４】
図７(ｄ)のように、７シンボルを１つのＴＴＩ単位とする場合、レガシーＰＤＣＣＨを含む７個のシンボル単位のＴＴＩの１つと後ろの７個のシンボルが１つのＴＴＩで構成されてもよい。このとき、ｓＴＴＩを支援する端末の場合、１つのＴＴＩが７シンボルからなる場合、１つのサブフレームの前端に位置するＴＴＩ(１番目のスロット)は、レガシーＰＤＣＣＨが送信される前端の２個のＯＦＤＭシンボルに対してパンクチャー(ｐｕｎｃｔｕｒｅ)又はレート−マッチング(ｒａｔｅ−ｍａｔｃｈｉｎｇ)されたと仮定して、以後の５個のシンボルに自身のデータ及び／又は制御情報が送信されると仮定する。これに対して、１つのサブフレームの後端に位置するＴＴＩ(２番目のスロット)に対して、端末はパンクチャー又はレート−マッチングするリソース領域無しに７個の全てのシンボルにデータ及び／又は制御情報が送信され得ると仮定する。
【００８５】
また、本発明では、２個のＯＦＤＭシンボル(以下、「ＯＳ」という)からなるｓＴＴＩと３個のＯＳからなるｓＴＴＩとが、図８のように、１つのサブフレーム内に混合して存在するｓＴＴＩも考慮する。このような２−ＯＳ又は３−ＯＳ ｓＴＴＩからなるｓＴＴＩを、単に２−シンボルｓＴＴＩ(すなわち、２−ＯＳ ｓＴＴＩ)と定義してもよい。また、２−シンボルｓＴＴＩ又は３−シンボルｓＴＴＩを単に２−シンボルＴＴＩ又は３−シンボルＴＴＩと称してもよく、これらは全て本発明が前提しているレガシーＴＴＩである１ｍｓＴＴＩよりも短いＴＴＩであることを明らかにしたい。すなわち、明細書において「ＴＴＩ」と記載されても、ｓＴＴＩではないわけではないことは明らかであり、その名称には関係なく本発明が提案しようとするのは、レガシーＴＴＩよりも短い長さのＴＴＩからなるシステムにおける通信方式に関するものである。
【００８６】
また、本明細書におけるニューマロロジー(ｎｕｍｅｒｏｌｏｇｙ)とは、当該無線通信システムに適用されるＴＴＩ長、サブキャリア間隔などの決定又は決定されたＴＴＩ長又はサブキャリア間隔のようなパラメータ又はそれに基づいた通信構造又はシステムなどを意味する。
【００８７】
図８(ａ)に示された＜３,２,２,２,２,３＞ｓＴＴＩパターンでは、ＰＤＣＣＨのシンボル数に応じてｓＰＤＣＣＨが送信されてもよい。図８(ｂ)の＜２,３,２,２,２,３＞ｓＴＴＩパターンは、レガシーＰＤＣＣＨ領域のためにｓＰＤＣＣＨの送信が難しいことがある。
【００８８】
動的ＤＭ−ＲＳ挿入におけるＳＲＳ及び他のチャンネルとの衝突の処理(ｃｏｌｌｉｓｉｏｎ ｈａｎｄｌｉｎｇ ｏｆ ＳＲＳ ａｎｄ ｏｔｈｅｒ ｃｈａｎｎｅｌｓ ｉｎ ｃａsｅ ｏｆ ｄｙｎａｍｉｃ ＤＭ−ＲＳ ｉｎｓｅｒｔｉｏｎ)
【００８９】
各ＵＬ ｓＴＴＩ毎に対して復調(ｄｅｍｏｄｕｌａｔｉｏｎ)用途のＤＭ−ＲＳ送信が含まれるか否かをネットワークが端末に動的シグナリングで指示する「動的ＤＭ−ＲＳ挿入方案」が考慮される場合、端末は、前記動的シグナリングによってＤＭ−ＲＳとＳＲＳが特定のｓＴＴＩ内の同一ＳＣ−ＦＤＭＡシンボルで送信されるようにする設定は期待しない。また、端末は、前記動的シグナリングによってＤＭ−ＲＳとＳＲＳが特定のｓＴＴＩ内の同一ＳＣ−ＦＤＭＡシンボルで送信されるように設定された場合、ＳＲＳをドロップ(ｄｒｏｐ)してもよい。
【００９０】
オプション１：具体的に、前記規則は、セル−特定のＳＲＳサブフレームで設定されたサブフレームにおける特定のｓＴＴＩに限って適用されてもよいが、これはＤＭ−ＲＳとＳＲＳ送信が同一サービングセルで発生した場合に限られてもよい。
【００９１】
オプション２：前記規則は、端末−特定の周期的ＳＲＳサブフレームで設定されたサブフレームにおける特定のｓＴＴＩに限って適用されてもよいが、これはＤＭ−ＲＳと(潜在的)ＳＲＳ送信が同一サービングセルで発生した場合及び／又は当該端末に複数のＴＡＧ(ｔｉｍｉｎｇ ａｄｖａｎｃｅ ｇｒｏｕｐ)が設定された場合に限られてもよい。
【００９２】
オプション３：前記規則は、端末−特定の非周期的ＳＲＳサブフレームで設定されたサブフレームにおける特定のｓＴＴＩに限ってｓＰＵＳＣＨがスケジューリングされた場合に適用されてもよいが、これはＤＭ−ＲＳと(潜在的)ＳＲＳ送信が同一サービングセルで発生した場合に限られてもよい。
【００９３】
オプション４：前記規則は、セル−特定のＳＲＳ帯域幅で設定された周波数リソースとｓＰＵＳＣＨスケジューリング(又は、ＤＭ−ＲＳ)に該当する周波数リソースの全部又は一部が重畳(ｏｖｅｒｌａｐ)又は衝突する場合に限って適用されてもよい。
【００９４】
オプション５：前記規則は、端末−特定のＳＲＳ送信帯域幅(すなわち、ｓｒｓ−Ｂａｎｄｗｉｄｔｈ)及び／又はＳＲＳ周波数ドメインの位置(すなわち、ｆｒｅｑＤｏｍａｉｎＰｏｓｉｔｉｏｎ)及び／又はＳＲＳホッピング帯域幅(すなわち、ｓｒｓ−ＨｏｐｐｉｎｇＢａｎｄｗｉｄｔｈ)の組み合わせで決定された周波数リソースとｓＰＵＳＣＨスケジューリング(又は、ＤＭ−ＲＳ)に該当する周波数リソースの全部又は一部が重畳又は衝突する場合に限って適用されてもよい。
【００９５】
オプション６：前記規則は、端末−特定の送信コンム(ｔｒａｎｓｍｉｓｓｉｏｎ ｃｏｍｂ)で決定されたＳＲＳとＩＦＤＭＡ(Ｉｎｔｅｒｌｅａｖｅｄ ＦＤＭＡ)がイネーブルされた状況における動的シグナリングで指示されたＤＭ−ＲＳのコンムが同一の場合に限って適用されてもよい。換言すれば、端末−特定の送信コンムで決定されたＳＲＳとＩＦＤＭＡがイネーブルされた状況における動的シグナリングで指示されたＤＭ−ＲＳのコンムが互いに異なる場合には、ＤＭ−ＲＳとＳＲＳが当該ｓＴＴＩの同一ＳＣ−ＦＤＭＡシンボルで送信されることが許容されてもよい。
【００９６】
オプション７：前記規則は、ＳＲＳ送信サービングセルとｓＰＵＳＣＨ送信サービングセルとが互いに異なり、且つ送信タイミングが一部又は全ｓＴＴＩに対して重畳又は衝突して、当該端末に複数のＴＡＧが設定されて、電力−制限された(ｐｏｗｅｒ−ｌｉｍｉｔｅｄ)場合に限って適用されてもよい。換言すれば、ＳＲＳ送信サービングセルとｓＰＵＳＣＨ送信サービングセルとが互いに異なり、且つ送信タイミングが重畳又は衝突して、当該端末に複数のＴＡＧが設定されているものの、全体の送信電力がＰ_ＣＭＡＸを超えない場合には、ｓＰＵＳＣＨとＳＲＳとが両方送信されてもよい。
【００９７】
オプション８：前記規則は、複数の互いに異なるサービングセルにおけるＳＲＳ送信とその他のサービングセルにおけるｓＰＵＳＣＨ送信タイミングが一部又は全ｓＴＴＩに対して重畳又は衝突して、当該端末に複数のＴＡＧが設定されて、電力−制限された場合に限って適用されてもよい。より具体的には、この場合、全てのＳＲＳ送信がドロップされてもよく、又は、一部のＳＲＳ送信がドロップされてもよい。このとき、ドロップされるＳＲＳ送信は、ＳＲＳ送信タイプ(例えば、周期的又は非周期的)及び／又はサービングセルインデックス(例えば、低いインデックスに対してより高い優先順位が割り当てられる)などを考慮して決定されてもよい。
【００９８】
上述したオプションの一部又は全部の組み合わせによって、前記規則を適用するか否かが決定されてもよい。
【００９９】
また、各ＵＬ ｓＴＴＩ毎に対して、復調(ｄｅｍｏｄｕｌａｔｉｏｎ)用途のＤＭ−ＲＳ送信が含まれているか否かをネットワークが端末に動的シグナリングで指示する「動的ＤＭ−ＲＳ挿入方案」が考慮される場合、端末は、前記動的シグナリングによってＤＭ−ＲＳとＳＲＳが隣接したシンボルで送信されるようにする設定は期待しない。また、前記動的シグナリングによってＤＭ−ＲＳとＳＲＳが隣接したシンボルで送信されるように設定された場合、ＳＲＳをドロップするか、又はｓＰＵＳＣＨ＋ＤＭ−ＲＳに該当するＵＬスケジューリングをドロップするように規則が定義されてもよい。一例として、ＤＭ−ＲＳはｓＴＴＩ＃５の第２番目のシンボル(すなわち、サブフレームにおける第１３番目のシンボル)、ＳＲＳはｓＴＴＩ＃５の第３番目のシンボル(すなわち、サブフレームにおける第１４番目のシンボル)で送信されるように設定された端末は、(１)ＳＲＳをドロップ、(２)ｓＰＵＳＣＨ＋ＤＭ−ＲＳに該当するＵＬスケジューリングをドロップ、又は(３)ｓＰＵＳＣＨ、ＤＭ−ＲＳ、ＳＲＳのいずれも送信、するように規則が定義されてもよい。(１)と(２)の方案は、ＳＲＳによって考慮され得る電力過度区間(ｐｏｗｅｒ ｔｒａｎｓｉｅｎｔ ｐｅｒｉｏｄ)がｓＴＴＩのＤＭ−ＲＳに及ぼす影響(ｉｍｐａｃｔ)によって引き起こされ得るｓＰＵＳＣＨ復調性能の低下を避けるためであってもよい。
【０１００】
オプション１：具体的に、前記規則は、セル−特定のＳＲＳサブフレームで設定されたサブフレーム内の特定のｓＴＴＩに限って適用されてもよいが、これはＤＭ−ＲＳとＳＲＳ送信が同一のサービングセルで発生した場合に限られてもよい。
【０１０１】
オプション２：前記規則は、端末−特定の周期的ＳＲＳサブフレームで設定されたサブフレームにおける特定のｓＴＴＩに限って適用されてもよいが、これはＤＭ−ＲＳと(潜在的)ＳＲＳ送信が同一サービングセルで発生した場合及び／又は当該端末に複数のＴＡＧが設定された場合に限られてもよい。
【０１０２】
オプション３：前記規則は、端末−特定の非周期的ＳＲＳサブフレームで設定されたサブフレーム内の特定のｓＴＴＩに限ってｓＰＵＳＣＨがスケジューリングされた場合に適用されてもよいが、これはＤＭ−ＲＳと(潜在的)ＳＲＳ送信が同一のサービングセルで発生した場合に限られてもよい。
【０１０３】
オプション４：前記規則は、セル−特定のＳＲＳ帯域幅で設定された周波数リソースとｓＰＵＳＣＨスケジューリング(又は、ＤＭ−ＲＳ)に該当する周波数リソースの全部又は一部が重畳又は衝突する場合に限って適用されてもよい。
【０１０４】
オプション５：前記規則は、端末−特定のＳＲＳ送信帯域幅(すなわち、ｓｒｓ−Ｂａｎｄｗｉｄｔｈ)及び／又はＳＲＳ周波数ドメインの位置(すなわち、ｆｒｅｑＤｏｍａｉｎＰｏｓｉｔｉｏｎ)及び／又はＳＲＳホッピング帯域幅(すなわち、ｓｒｓ−ＨｏｐｐｉｎｇＢａｎｄｗｉｄｔｈ)の組み合わせで決定された周波数リソースとｓＰＵＳＣＨスケジューリング(又は、ＤＭ−ＲＳ)に該当する周波数リソースの全部又は一部が重畳又は衝突する場合に限って適用されてもよい。
【０１０５】
オプション６：前記規則は、端末−特定の送信コンムで決定されたＳＲＳとＩＦＤＭＡがイネーブルされた状況における動的シグナリングで指示されたＤＭ−ＲＳのコンムが同一の場合に限って適用されてもよい。換言すれば、端末−特定の送信コンムで決定されたＳＲＳとＩＦＤＭＡがイネーブルされた状況における動的シグナリングで指示されたＤＭ−ＲＳのコンムが互いに異なる場合には、ＤＭ−ＲＳとＳＲＳが当該ｓＴＴＩの同一ＳＣ−ＦＤＭＡシンボルに送信されることが許容されてもよい。
【０１０６】
オプション７：前記規則は、ＳＲＳ送信サービングセルとｓＰＵＳＣＨ送信サービングセルとが互いに異なり、且つ送信タイミングが一部又は全ｓＴＴＩに対して重畳又は衝突して、当該端末に複数のＴＡＧが設定されて、電力−制限された場合に限って適用されてもよい。換言すれば、ＳＲＳ送信サービングセルとｓＰＵＳＣＨ送信サービングセルとが互いに異なり、且つ送信タイミングが重畳又は衝突して、当該端末に複数のＴＡＧが設定されるものの、全体の送信電力がＰ＿ＣＭＡＸを超えない場合には、ｓＰＵＳＣＨとＳＲＳとの両方が送信されてもよい。
【０１０７】
オプション８：前記規則は、複数の互いに異なるサービングセルにおけるＳＲＳ送信とその他のサービングセルにおけるｓＰＵＳＣＨ送信タイミングが一部又は全ｓＴＴＩに対して重畳又は衝突されて、当該端末に複数のＴＡＧが設定されて、電力−制限された場合に限って適用されてもよい。より具体的に、この場合、全てのＳＲＳ送信がドロップされてもよく、一部のＳＲＳ送信がドロップされてもよい。このとき、ドロップされるＳＲＳ送信は、ＳＲＳ送信タイプ(例えば、周期的又は非周期的)及び／又はサービングセルインデックス(例えば、低いインデックスに対してより高い優先順位が割り当てられる)などを考慮して決定されてもよい。
【０１０８】
前記オプションの一部又は全部の組み合わせによって、前記規則を適用するか否かが決定されてもよい。
【０１０９】
ＩＦＤＭＡ ｆｏｒ ｓＰＵＣＣＨ
【０１１０】
複数のＴＴＩに対するＤＭ−ＲＳが同一ＳＣ−ＦＤＭＡシンボルに送信されて、各ＴＴＩに対応するＤＭ−ＲＳが互いに異なるＲＥ(ｒｅｓｏｕｒｃｅ ｅｌｅｍｅｎｔ)にマッピングされるＩＦＤＭＡが考慮されている。これは、ＯＣＣ(ｏｒｔｈｏｇｏｎａｌ ｃｏｖｅｒ ｃｏｄｅ)をベースとしない、(特に、複数のＲＢに送信される)ＰＵＣＣＨフォーマットの多重化を支援可能とする１つの方案となり得る。現在、ＰＵＳＣＨ ＩＦＤＭＡの場合には、ＤＭ−ＲＳ循環シフト(ｃｙｃｌｉｃ ｓｈｉｆｔ)フィールドにいずれのコンムに送信されるかに関する情報が結合エンコーディング(ｊｏｉｎｔ ｅｎｃｏｄｉｎｇ)されて指示されてもよい。一方、ＰＵＣＣＨ ＩＦＤＭＡは、支援したい場合にはいずれのコンムに送信されるかに関する指示方案が必要となる。
【０１１１】
ＰＵＣＣＨ ＩＦＤＭＡのためのコンム指示方案として、ＤＬ割り当てＤＣＩの特定のフィールドによって指示されてもよい。具体的には、コンムを示す追加ビットフィールドを定義してもよく、ＤＬ割り当てＤＣＩ内の従来のフィールドを再解釈してコンムを指示するように規則を定義してもよい。
【０１１２】
また、ＡＲＩ(ＡＣＫ／ＮＡＣＫ ｒｅｓｏｕｒｃｅ ｉｎｄｉｃａｔｏｒ)フィールドの各状態にコンム情報を連携(ｔｉｅ)させて、これは上位層信号を通じて指示され、ＤＬ割り当てＤＣＩを通じて当該ＤＣＩにおけるＡＲＩの指示された状態によってコンムが指示されるように規則が定義されてもよい。
【０１１３】
また、前記ＰＵＣＣＨ ＩＦＤＭＡ動作は、上位層信号を通じて半−静的にイネーブルされてもよい。具体的に、当該設定は、ＴＴＩ長及び／又はＰＵＣＣＨフォーマット毎に独立して又は異ならせて設定されてもよい。また、特定のＤＣＩフォーマットに追加ビットフィールドを付与したり従来のフィールドを再使用する形態で前記ＰＵＣＣＨ ＩＦＤＭＡの活性化可否が明示的に指示されてもよい。また、ＰＵＣＣＨのＴＴＩ長及び／又はサブキャリア間隔(ｓｕｂｃａｒｒｉｅｒ ｓｐａｃｉｎｇ)及び／又は当該ＰＵＣＣＨによって送信されるＵＣＩのペイロードサイズ及び／又は当該ＰＵＣＣＨによって送信されるＵＣＩのタイプが考慮されて特定の条件を満たす場合、ＰＵＣＣＨ ＩＦＤＭＡ動作がイネーブルされてもよい。
【０１１４】
ｓＰＵＣＣＨホッピングパターン
【０１１５】
２／３−シンボルｓＴＴＩの場合、{３ ２ ２ ２ ２ ３}シンボルからなる６個のｓＴＴＩが１つのサブフレームに含まれてもよい。本明細書において、中括弧({})中の数字は、各ｓＴＴＩを構成するシンボルの数を意味する。ｓＴＴＩはＬＴＥ又はＬＴＥ−Ａシステムなどを含む従来の無線通信システムにおいて用いられた１４個のＯＦＤＭシンボルからなるＴＴＩより短いことから称するだけであって、このような従来よりも短いＴＴＩが用いられるシステムでは、単にＴＴＩと称されてもよい。すなわち、{３ ２ ２ ２ ２ ３}は全６個のＴＴＩ又はｓＴＴＩがあり、各々は順に３、２、２、２、２、３個のシンボル(又は、ＯＦＤＭシンボル)からなることを意味する。
【０１１６】
７−シンボルｓＰＵＣＣＨに対して、ｓＴＴＩ内(ｉｎｔｒａ−ｓＴＴＩ)ホッピングが支援される場合、２／３−シンボルｓＰＵＣＣＨの前記レイアウト(ｌａｙｏｕｔ)を考慮してホッピングパターンが決定されてもよい。第１番目のｓＴＴＩに対しては{３ ４}、第２番目のｓＴＴＩに対しては{３ ４}シンボルで、又は第１番目のｓＴＴＩに対しては{４ ３}、第２番目のｓＴＴＩに対しては{４ ３}シンボルでホッピングパターンが定義される場合、特定の７−シンボルｓＴＴＩに対してｓＰＵＣＣＨリソースを割り当てるとき、２／３−シンボルｓＴＴＩとの効率的な共存が難しいことがある。よって、具体的に、７−シンボルｓＰＵＣＣＨの場合、２／３−シンボルとの多重化及びより簡単(ｃｏｍｐａｃｔ)なリソースパッキング(ｒｅｓｏｕｒｃｅ ｐａｃｋｉｎｇ)のために、サブフレームにおける第１番目のｓＴＴＩに対しては{３ ４}、第２番目のｓＴＴＩに対しては{４ ３}シンボルでホッピングパターンが定義されてもよい。
【０１１７】
また、ｓＴＴＩ内のホッピングの支援される特定のＵＬチャンネルに対して、ホッピングパターンによって複数の互いに異なる周波数リソースにかけて送信するようになるが、このとき、各周波数リソースにマッピングされる部分(ｐａｒｔ)が互いに異なる数のシンボルからなる場合、より少ない数のシンボルを有する部分に対して、電力過度区間による影響を相対的に少ない方が復調面から好ましい。よって、上述した状況において、ｓＴＴＩ内のホッピングに対する電力過度区間の位置は、より多い数のシンボルを有する部分の方により多くかけられるように規則が定義されてもよい。一例として、７−シンボルｓＴＴＩに対して、{３ ４}シンボルでホッピングパターンが定義される場合、４−シンボル部分側に電力過度区間が位置するように規則が定義されてもよい。
【０１１８】
動的ＤＭ−ＲＳ挿入(Ｄｙｎａｍｉｃ ＤＭ−ＲＳ ｉｎｓｅｒｔｉｏｎ)
【０１１９】
ｓＴＴＩが導入される場合、特定のｓＴＴＩ長に対して(例えば、２／３−シンボルｓＴＴＩ)、各ｓＴＴＩ毎にＤＭ−ＲＳが１つのシンボルを占めることは、送信効率面から望ましくない場合がある。よって、１つの端末に連続した複数のｓＴＴＩがスケジューリングされる場合、各ｓＴＴＩ毎のＤＭ−ＲＳ送信可否をネットワークが動的シグナリングで指示する動的ＤＭ−ＲＳ挿入方案が考慮されている。
【０１２０】
特定のＴＴＩにスケジューリングするとき、当該ｓＴＴＩ又はその以前や以後に来るｓＴＴＩ及び／又はシンボルに対して、ＵＬ−ＳＣＨやＤＭ−ＲＳがいずれのシンボルにマッピングされるかがＤＣＩのような物理層信号を通じて指示されてもよい。より具体的には、ＤＣＩが ＴＴＩ＃ｎで送信されてプロセッシング時間(例えば、ＵＬ承認−ｔｏ−ＵＬデータ送信タイミング)がｘ ＴＴＩである場合、可能なマッピングの組み合わせは以下のようである。
【０１２１】
Ａｌｔ １：ＴＴＩ＃ｎ＋ｘ：ＤＭ−ＲＳ及びＵＬ−ＳＣＨ
【０１２２】
Ａｌｔ ２：ＴＴＩ＃ｎ＋ｘ：ＵＬ−ＳＣＨのみ(ＵＬ−ＳＣＨ ｏｎｌｙ)
【０１２３】
Ａｌｔ ３：ＴＴＩ＃ｎ＋ｘ：当該ＴＴＩにおける幾つかのシンボルでＤＭ−ＲＳ(ＤＭ−ＲＳ ｉｎ ｓｏｍｅ ｓｙｍｂｏｌ(ｓ) ｗｉｔｈｉｎ ｔｈｅ ＴＴＩ)
【０１２４】
Ａｌｔ ４：ＴＴＩ＃ｎ＋ｘ：当該ＴＴＩにおける幾つかのシンボルでＤＭ−ＲＳ、及びＴＴＩ ＃ｎ＋ｘ＋ｋ：ＵＬ−ＳＣＨのみ、ｋ＞＝１である整数
【０１２５】
Ａｌｔ ５：ＴＴＩ＃ｎ＋ｘ：ＵＬ−ＳＣＨのみ、及びＴＴＩ＃ｎ＋ｘ＋ｋ：当該ＴＴＩにおける幾つかのシンボルでＤＭ−ＲＳ、ｋ＞＝１である整数 
【０１２６】
Ａｌｔ ６：ＴＴＩ＃ｎ＋ｘ：当該ＴＴＩにおける幾つかのシンボルでＤＭ−ＲＳ、及びＴＴＩ＃ｎ＋ｘ−ｋ：ＵＬ−ＳＣＨのみ、ｋ＞＝１である整数 
【０１２７】
Ａｌｔ ７：ＴＴＩ＃ｎ＋ｘ：ＵＬ−ＳＣＨのみ、及びＴＴＩ＃ｎ＋ｘ−ｋ：当該ＴＴＩにおける幾つかのシンボルでＤＭ−ＲＳ、ｋ＞＝１である整数 
【０１２８】
Ａｌｔ ８：多重−ＴＴＩスケジューリングの際、複数の(又は１つの)ＴＴＩ：ＤＭＲＳ及びＵＬ−ＳＣＨ、及び残りの複数の(又は１つの)ＴＴＩ：ＵＬ−ＳＣＨのみ
【０１２９】
このうち、一部のマッピングに対する具現は、端末の能力(ｃａｐａｂｉｌｉｔｙ)によって可能な場合も不可能な場合もある。一例として、上述したマッピングのうちＡｌｔ ６のような場合、プロセッシング時間をｘとするとき、ＴＴＩ＃ｎ＋ｘに対するＵＬ−ＳＣＨスケジューリングがＴＴＩ＃ｎで行われるとき、これに対応するＤＭＲＳはＴＴＩ＃ｎ＋ｘ−２で送信されるように指示されてもよいが、端末は既にＴＴＩ＃ｎ−２でＴＴＩ＃ｎ＋ｘ−２に対する何らスケジューリングもされていない状態であるため、この状況が予想できなかったにもかかわらず、ＤＭ−ＲＳシーケンスを準備してＴＴＩ＃ｎ＋ｘ−２に送信しなければならない。これは、端末が予想した又は設定されたプロセッシング時間よりも短い時間で少なくともＤＭ−ＲＳ送信が準備できるようにしなければならないことを意味する。
【０１３０】
よって、ＤＣＩがＴＴＩ＃ｎで送信されて、プロセッシング時間(例えば、ＵＬ承認−ｔｏ−ＵＬデータ送信タイミング)がｘ ＴＴＩである場合、指示され得るＵＬ−ＳＣＨとＤＭＲＳのマッピングに対する組み合わせを複数のモードに分類して、各モードに対して(又は、各モードのうち一部のモードに対して)端末が支援できるか否かの能力をネットワークに報告するように規則が定義されてもよい。具体的に、上述した能力(報告)シグナリングが定義されるモードは、端末が一般に予想した又は設定されたプロセッシング時間に比べてより短い時間を求める送信モードを含んでもよい。より一般には、前記能力(報告)シグナリングが定義されるモードは、端末のプロセッシング電力をさらに求める送信モードを含んでもよい。一例として、前記Ａｌｔ １〜５(又は、その一部)とＡｌｔ ６〜７(又は、その一部)をそれぞれモード１、モード２と定義して、それぞれに対して、又はモード２に対して、端末が支援できるか否かの能力をネットワークに報告してもよい。
【０１３１】
また、ネットワークも端末に前記送信モードの全部又は一部のみを用いて指示され得るＵＬ−ＳＣＨとＤＭＲＳのマッピングに対する組み合わせを最終に構成することができる。すなわち、前記送信モードの全部又は一部のみを端末に設定して、端末は、これに基づいてＤＣＩを解釈して設定された組み合わせのうち指示されたマッピングによってＵＬ−ＳＣＨとＤＭＲＳを送信するように規則が定義されてもよい。
【０１３２】
また、上述したように、ＵＬ−ＳＣＨとＤＭＲＳのマッピングに対する組み合わせを定義して、そのうち、全部又は一部のみを端末に設定して、端末は、これに基づいてＤＣＩを解釈して設定された組み合わせのうち指示されたマッピングによってＵＬ−ＳＣＨとＤＭＲＳを送信するように規則が定義されてもよい。
【０１３３】
別の方案としては、単一(ｓｉｎｇｌｅ)−ＴＴＩスケジューリングと多重−ＴＴＩスケジューリングによって支援され得るＵＬ−ＳＣＨとＤＭＲＳのマッピングに対する組み合わせをグルーピングし、ＤＭ−ＲＳとＵＬ−ＳＣＨが送信されるＴＴＩを最終に構成することができる。すなわち、単一−ＴＴＩスケジューリングであるか、多重−ＴＴＩスケジューリングであるかを端末に上位層信号又は物理層信号(例えば、グループ−特定のＤＣＩ又は遅い(ｓｌｏｗ)−ＤＣＩ、ＵＥ−特定のＤＣＩなど)によって設定して、端末は、これに基づいてＤＣＩを解釈して設定された組み合わせのうち指示されたマッピングによってＵＬ−ＳＣＨとＤＭＲＳを送信するように規則が定義されてもよい。一例として、単一−ＴＴＩスケジューリングの際には、Ａｌｔ １〜５(又は、その一部)でＵＬ−ＳＣＨとＤＭＲＳのマッピングに対する組み合わせの候補が決定され、多重−ＴＴＩスケジューリングの際には、Ａｌｔ １〜８(又は、その一部)でＵＬ−ＳＣＨとＤＭＲＳのマッピングに対する組み合わせの候補が決定され、端末は、これによって決定された組み合わせのうち指示されたマッピングによってＵＬ−ＳＣＨとＤＭＲＳを送信するように規則が定義されてもよい。
【０１３４】
ＳＲＳを含むｓＰＵＣＣＨ(ｓＰＵＣＣＨ ｗｉｔｈ ＳＲＳ)
【０１３５】
上述したように、７−シンボルｓＰＵＣＣＨの場合、２／３−シンボルとの多重化及びより簡単なリソースパッキングのためにサブフレームにおける第１番目のｓＴＴＩに対しては{３ ４}、第１番目のｓＴＴＩに対しては{４ ３}シンボルでホッピングパターンが定義されるとするとき、サブフレームにおける最後のシンボルがＳＲＳシンボルである状況の処理(ｈａｎｄｌｉｎｇ)を定義する必要がある。
【０１３６】
上述した状況を処理するためには、サブフレームにおける第２番目のｓＴＴＩで最後のシンボルの送信／マッピングが除外されたｓＰＵＣＣＨが送信される必要があるが(すなわち、ｓｈｏｒｔｅｎｅｄ ｓＰＵＣＣＨ)、端末にｓｈｏｒｔｅｎｅｄ ｓＰＵＣＣＨの送信可否を上位層信号を通じて設定してもよい。また、ｓｈｏｒｔｅｎｅｄ ｓＰＵＣＣＨの送信可否を設定するために、ＵＣＩとＳＲＳ同時送信設定の形態で端末に設定してもよい。ｓｈｏｒｔｅｎｅｄ ｓＰＵＣＣＨの送信可否が、従来のＡＣＫ／ＮＡＣＫとＳＲＳ同時送信設定に従ってもよいが、一例として、前記同時送信が設定された場合には、ｓｈｏｒｔｅｎｅｄ ｓＰＵＣＣＨも送信され；前記同時送信がディスエーブル(ｄｉｓａｂｌｅ)された場合には一般のｓＰＵＣＣＨが送信されるように規則が定義されてもよい。また、ｓＴＴＩのための別のＡＣＫ／ＮＡＣＫとＳＲＳの同時送信設定が定義されて、この設定によって、ｓｈｏｒｔｅｎｅｄ ｓＰＵＣＣＨとＳＲＳの同時送信が決定されてもよい。より具体的には、ｓＰＵＣＣＨフォーマット別に(又は、ＵＣＩのペイロードサイズ別に)、独立して(異ならせて)ｓＴＴＩのための別のＡＣＫ／ＮＡＣＫとＳＲＳ同時送信設定が定義され、この設定によって、特定のｓＰＵＣＣＨフォーマットとＳＲＳの同時送信が決定されてもよく、ｓＰＵＣＣＨフォーマット別に同時送信可否が独立して(異ならせて)決定されてもよい。
【０１３７】
１つの方案としては、特定の７−シンボルｓＰＵＣＣＨフォーマット(例えば、２ビットまで載せる(ｃａｒｒｙ)又は３ビット超えのビットを載せるｓＰＵＣＣＨフォーマット)に対して、ｓＴＴＩ内(ｉｎｔｒａ−ｓＴＴＩ)ホッピングが設定されてもよいが、ｓＴＴＩ内のホッピングの設定可否によって、ＳＲＳ及び／又はｓＰＵＣＣＨ送信方法が異ならせて決定されるように規則が定義されてもよい。
【０１３８】
具体的に、ｓＴＴＩ内のホッピングがディスエーブルされた場合には、サブフレームにおける第２番目のｓＴＴＩで最後のシンボルの送信／マッピングが除外されたｓＰＵＣＣＨが送信(すなわち、ｓｈｏｒｔｅｎｅｄ ｓＰＵＣＣＨ)されて、最後のシンボルではＳＲＳが送信されるように規則が定義されてもよい。ｓＴＴＩ内のホッピングがイネーブルされた場合には、サブフレームにおける第２番目のｓＴＴＩにｓＰＵＣＣＨが送信されてＳＲＳはドロップされるか、又はｓＰＵＣＣＨがドロップされてＳＲＳが送信されるように規則が定義されてもよい。この規則は、「ｓｈｏｒｔｅｎｅｄ ｓＰＵＣＣＨとＳＲＳの同時送信のための設定」の可否とは関係なく、ｓｈｏｒｔｅｎｅｄ ｓＰＵＣＣＨが送信され、最後のシンボルではＳＲＳが送信されてもよい。具体的に、本規則は、ＳＲＳサブフレームに限って例外的に適用されてもよい。
【０１３９】
別の方案として、ｓＴＴＩ内のホッピングがディスエーブルされた場合には、従来のＬＴＥ動作を従い、イネーブルされた場合にはＡＣＫ／ＮＡＣＫとＳＲＳ同時送信設定とは関係なく、常にＳＲＳがドロップされ、一般のｓＰＵＣＣＨがホッピングされて送信されるように規則が定義されてもよい。ここで、ＡＣＫ／ＮＡＣＫとＳＲＳ同時送信設定は、従来の１ｍｓ ＴＴＩのための設定であってもよく、又はｓＴＴＩのために別として定義された又は特定のｓＰＵＣＣＨフォーマットのために別として定義された設定であってもよい。
【０１４０】
別の方案としては、特定の７−シンボルｓＰＵＣＣＨフォーマット(例えば、２ビットまで載せる(ｃａｒｒｙ)又は３ビット超えのビットを載せるｓＰＵＣＣＨフォーマット)に対して、ｓＴＴＩ内のホッピングのイネーブル設定の可否には関係なく、常にＳＲＳがドロップされて、サブフレームにおける第２番目のｓＴＴＩにｓＰＵＣＣＨが送信されるように規則が定義されてもよい。具体的には、本規則は、ＳＲＳサブフレームに限って例外的に適用されてもよい。
【０１４１】
別の方案としては、特定の７−シンボルｓＰＵＣＣＨフォーマット(例えば、２ビットまで載せる(ｃａｒｒｙ)又は３ビット超えのビットを載せるｓＰＵＣＣＨフォーマット)に対して、ｓＴＴＩ内のホッピングがイネーブルされた場合、サブフレームにおける第１番目のｓＴＴＩではホッピングが適用されたｓＰＵＣＣＨが送信され、第２番目のｓＴＴＩでは最後のシンボルの送信／マッピングが場外されて、ホッピングが適用されていないｓＰＵＣＣＨが送信され、最後のシンボルではＳＲＳが送信されるように規則が定義されてもよい。具体的には、本規則は、ＳＲＳサブフレームに限って例外的に適用されてもよい。
【０１４２】
別の方案として、ｓＴＴＩ内のホッピングがイネーブルされた状態において「ｓｈｏｒｔｅｎｅｄ ｓＰＵＣＣＨとＳＲＳの同時送信のための設定」がイネーブルされる場合、端末はホッピングしないように(ｎｏｎ−ｈｏｐｐｉｎｇ)動作して、サブフレームにおける第２番目のｓＴＴＩで最後のシンボルの送信／マッピングが除外されたｓＰＵＣＣＨが送信され(すなわち、ｓｈｏｒｔｅｎｅｄ ｓＰＵＣＣＨ)、最後のシンボルではＳＲＳが送信されるように規則が定義されてもよい。本規則は、「ｓＴＴＩ内のホッピング設定」の可否には関係なく、ホッピングされないｓｈｏｒｔｅｎｅｄ ｓＰＵＣＣＨ(ｎｏｎ−ｈｏｐｐｉｎｇ ｓｈｏｒｔｅｎｅｄ ｓＰＵＣＣＨ)が送信されて、最後のシンボルではＳＲＳが送信されてもよい。具体的に、本規則は、ＳＲＳサブフレームに限って例外的に適用されてもよい。
【０１４３】
別の方案として、「ｓｈｏｒｔｅｎｅｄ ｓＰＵＣＣＨとＳＲＳの同時送信のための設定」の可否には関係なく、ｓＴＴＩ内のホッピングがイネーブルされる場合、ＳＲＳサブフレームに限って常に端末はｓＴＴＩ内のホッピング設定を無視して、ホッピングされないｓＰＵＣＣＨを送信するように規則が定義されてもよい。
【０１４４】
動的ＤＭＲＳ挿入におけるベタオフセット(Ｂｅｔａ ｏｆｆｓｅｔ ｗｉｔｈ ｄｙｎａｍｉｃ ＤＭＲＳ ｉｎｓｅｒｔｉｏｎ)
【０１４５】
ＬＴＥ標準によれば、ＵＣＩがＰＵＳＣＨで送信される場合、当該ＵＣＩ送信のためのコーディングされたシンボル(すなわち、ＬＴＥ標準におけるＲＥ)の数は、以下のように算出される。
【０１４６】
[参照１]
2019526978.tif 000025
【０１４７】
[参照２]
2019526978.tif 000026
【０１４８】
[参照３]
2019526978.tif 000027
【０１４９】
上述した標準内容によれば、データのためのＲＥの全数に対する現在送信する情報(初期情報であってもよく、再送信であってもよい)に基づいて、送信情報の量が多ければ、ＵＣＩの階層当たりのシンボル数が減るようになっている。
【０１５０】
各ＴＴＩ毎のＤＭ−ＲＳ送信可否をネットワークが動的シグナリングで指示する「動的ＤＭ−ＲＳ挿入」方案が導入される場合、データ送信のためのＲＥの全数がＴＴＩ別に異なってもよい。一例として、２−シンボルＴＴＩがｉ)１つのデータシンボルと１つのＤＭ−ＲＳシンボルからなる場合と、ｉｉ)２つのデータシンボルのみからなる場合のデータ送信のためのＲＥの数は、１対２になるため、データ送信のためのＲＥの数は、互いに２倍も差があることがある。よって、前記ＵＣＩ送信ＲＥ数の決定のためのベタオフセット(ｂｅｔａ ｏｆｆｓｅｔ)設定が以下のように定義される必要がある。
【０１５１】
オプション１：ＴＴＩ内のＤＭ−ＲＳの存否によって、異なるベタオフセット値が適用されるように規則が定義されてもよい。具体的に、ＤＭ−ＲＳが存在する場合のベタオフセットが上位層(又は、物理層)信号によって設定され、ＤＭ−ＲＳが存在しない場合、適用されるベタオフセットは、前記設定された値に予め約束された(又は、シグナリングされた)値だけ増加した、相対的に大きい値で適用されるように規則が定義されてもよい。これは、ＤＭ−ＲＳが存在しないＴＴＩの場合、データ送信のための全体のＲＥ数が増加することで、コーディングレートが相対的に低くなるため、ＵＣＩ送信ＲＥ数を増加させてＵＣＩ送信の信頼度(ｒｅｌｉａｂｉｌｉｔｙ)も共に増加させるためであってもよい。また、同様な効果を得るために、ＤＭ−ＲＳが存在しない場合のベタオフセットが上位層(又は、物理層)信号を通じて設定され、ＤＭ−ＲＳが存在する場合に適用されるベタオフセットは前記値に予め約束された(又は、シグナリングされた)値だけ減少された、相対的に小さい値で適用されるように規則が定義されてもよい。
【０１５２】
オプション２：別の方案として、ＤＭ−ＲＳが存在する場合のベタオフセットが上位層(又は、物理層)信号を通じて設定されて、ＤＭ−ＲＳが存在しない場合、適用されるベタオフセットは前記設定された値に予め約束された(又は、シグナリングされた)値だけ減少された、相対的に小さい値で適用されるように規則が定義されてもよい。これは、ＤＭ−ＲＳが存在しないＴＴＩの場合、復号性能がセルフ−コンテインドＴＴＩ(ｓｅｌｆ−ｃｏｎｔａｉｎｅｄ ＴＴＩ)(ＤＭ−ＲＳを含んでいるｓＴＴＩ)に比べて低下することがあるため、ＵＣＩ送信ＲＥの数が大きくなり過ぎることを防止するためであってもよい。また、同様な効果を得るために、ＤＭ−ＲＳが存在しない場合のベタオフセットが上位層(又は、物理層)信号を通じて設定され、ＤＭ−ＲＳが存在する場合、適用されるベタオフセットは前記値に予め約束された(又は、シグナリングされた)値だけ増加された、相対的に大きい値で適用されるように規則が定義されてもよい。
【０１５３】
オプション３：ＴＴＩ内のＤＭ−ＲＳの存否には関係なく、常に同一のベタオフセットが適用されるように規則が定義されてもよい。
【０１５４】
オプション４：ＤＭ−ＲＳが存在する場合と存在しない場合とに適用されるベタオフセットが独立して(異ならせて)上位層(又は、物理層)信号を通じて設定されてもよい。
【０１５５】
上述したオプション１及び／又はオプション２及び／又はオプション３及び／又はオプション４の各々の効用性が異なるため、ネットワークが上述したオプションのうち一部(又は全部)に対していずれのオプションを端末が適用すべきかを上位(又は物理)層信号を通じて設定してもよい。また、１つのオプションが設定又は導入されて、当該オプションを実際に適用するか否かを上位(又は物理)層信号を通じて設定してもよい。
【０１５６】
上述した提案方式に対する一例も本発明の具現方法のうち１つとして含まれてもよいため、一種の提案方式としてみなされるのは明白である。また、説明した提案方式は、独立して具現されてもよく、一部の提案方式の組み合わせ(又は、併合)の形態で具現されてもよい。提案方法の適用可否情報(又は、上述した提案方法の規則に関する情報)は、基地局が端末に予め定義されたシグナル(例えば、物理層シグナル又は上位層シグナル)を通じて知らせるように規則が定義されてもよい。
【０１５７】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０１５８】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ  ｓｐｅｃｉｆｉｃ  ｉｎｔｅｇｒａｔｅｄ  ｃｉｒｃｕｉｔｓ)、ＤＳＰｓ(ｄｉｇｉｔａｌ  ｓｉｇｎａｌ  ｐｒｏｃｅｓｓｏｒｓ)、ＤＳＰＤｓ(ｄｉｇｉｔａｌ  ｓｉｇｎａｌ  ｐｒｏｃｅｓｓｉｎｇ  ｄｅｖｉｃｅｓ)、ＰＬＤｓ(ｐｒｏｇｒａｍｍａｂｌｅ  ｌｏｇｉｃ  ｄｅｖｉｃｅｓ)、ＦＰＧＡｓ(ｆｉｅｌｄ  ｐｒｏｇｒａｍｍａｂｌｅ  ｇａｔｅ  ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０１５９】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ  ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０１６０】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ  ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０１６１】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素(ｅｌｅｍｅｎｔ)の組み合わせによって構成されてもよい。各アンテナから送信された信号は受信装置２０によってそれ以上分解されることはない。当該アンテナに対応して送信された参照信号(ｒｅｆｅｒｅｎｃｅ  ｓｉｇｎａｌ，ＲＳ)は受信装置２０の観点で見たアンテナを定義し、チャンネルが一物理アンテナからの単一(ｓｉｎｇｌｅ)無線チャンネルであるか、或いは当該アンテナを含む複数の物理アンテナ要素(ｅｌｅｍｅｎｔ)からの合成(ｃｏｍｐｏｓｉｔｅ)チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力(Ｍｕｌｔｉ−Ｉｎｐｕｔ  Ｍｕｌｔｉ−Ｏｕｔｐｕｔ、ＭＩＭＯ)機能を支援する送信機／受信機の場合は２個以上のアンテナに接続されてもよい。
【０１６２】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１６３】
送信装置及び／又は受信装置は、上述した本発明の実施例のうちの少なくとも１つ又は２つ以上の実施例の組み合わせを実行することができる。
【０１６４】
このような実施例のうち１つとして、無線通信システムにおいて、短いＴＴＩ(ｔｒａｎｓｍｉｓｓｉｏｎ ｔｉｍｅ ｉｎｔｅｒｖａｌ)長の上りリンク信号を送信する端末であって、前記端末は、受信機及び送信機；および前記受信機及び送信機を制御するプロセッサーを含み、前記プロセッサーは、上りリンク制御情報のための周波数ホッピングのイネーブル又はディスエーブルの設定を受信して、前記周波数ホッピングがイネーブルされる場合、上りリンク制御情報を前記周波数ホッピングを用いて、短い物理上りリンク制御チャンネル(ｓｈｏｒｔ ｐｈｙｓｉｃａｌ ｕｐｌｉｎｋ ｃｏｎｔｒｏｌ ｃｈａｎｎｅｌ；ＳＰＵＣＣＨ)リソース領域にマッピングして、前記ＳＰＵＣＣＨリソース領域において前記上りリンク制御情報を送信するように構成され、前記周波数ホッピングは、サブフレーム内の第１番目のスロットと第２番目のスロットとで互いに異なるパターンを有してもよい。
【０１６５】
また、前記周波数ホッピングは、第１番目のスロットにおいて、最初の３個のシンボルとその他の４個のシンボルの間に適用されてもよい。
【０１６６】
また、前記周波数ホッピングは、第２番目のスロットにおいて、最初の４個のシンボルとその他の３個のシンボルの間に適用されてもよい。
【０１６７】
また、前記サブフレームにおける第１番目のスロット及び第２番目のスロットのうちより多い数のシンボルを含むスロットに電力過度区間が位置するように設定されてもよい。
【０１６８】
また、前記サブフレームにおける最後のシンボルが上りリンク参照信号が送信されるように用いられる場合、前記方法は、前記周波数ホッピングがディスエーブルされる場合、前記最後のシンボルが除外されたＳＰＵＣＣＨ領域において前記上りリンク制御情報及び前記最後のシンボルにおいて前記上りリンク参照信号を送信するステップを含み；又は前記周波数ホッピングがイネーブルされる場合、前記上りリンク参照信号はドロップされるか、前記上りリンク参照信号は送信されて前記サブフレームの第２番目のスロットにおいて前記ＳＰＵＣＣＨ領域における上りリンク制御情報の送信がドロップされてもよい。
【０１６９】
また、前記周波数ホッピングがイネーブルされる場合、前記ＳＰＵＣＣＨと上りリンク参照信号の同時送信設定とは関係なく、前記サブフレーム内の最後のシンボルから送信されることになっていた上りリンク参照信号は送信されなくてもよい。
【０１７０】
また、前記同時送信設定は、従来の1ｍｓ ＴＴＩのために設定されたもの、前記ｓＴＴＩのために設定されたもの、又は特定のＳＰＵＣＣＨフォーマットのために設定されたものであってもよい。
【０１７１】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１７２】
本発明は、端末、リレー、基地局などのような無線通信装置に利用可能である。
【図１】
2019526978.tif 000028
【図２】
2019526978.tif 000029
【図３】
2019526978.tif 000030
【図４】
2019526978.tif 000031
【図５】
2019526978.tif 000032
【図６】
2019526978.tif 000033
【図７】
2019526978.tif 000034
【図８】
2019526978.tif 000035
【図９】
2019526978.tif 000036
【国際調査報告】
2019526978.tif 000037
2019526978.tif 000038
2019526978.tif 000039
2019526978.tif 000040